(57)【特許請求の範囲】
【請求項１】
ＥＥＧ記録に存在するアーチファクトの量を表示する方法であって、
複数の電極、増幅器、およびプロセッサを備える機械からＥＥＧ記録を生成する工程と、
前記ＥＥＧ記録に存在するアーチファクトの量を決定するために前記ＥＥＧ記録を解析する工程と、
前記ＥＥＧ記録に存在する前記アーチファクトの量をディスプレイ上に表示する工程と、
を備えており、
前記ＥＥＧ記録に存在する前記アーチファクトの量は、複数の横線として示され、
前記複数の横線は、筋肉アーチファクトの横線、咀嚼アーチファクトの横線、縦方向の眼球運動アーチファクトの横線、および横方向の眼球運動アーチファクトの横線を含むことを特徴とする方法。
【請求項２】
前記複数の横線の、横線の色濃度は、所定の期間内に前記ＥＥＧ記録で検出された特定のアーチファクトの量を示すことを特徴とする請求項１に記載の方法。
【請求項３】
ＥＥＧ記録に存在するアーチファクトの量を表示するシステムであって、
複数のＥＥＧ信号を生成する複数の電極と、
前記複数のＥＥＧ信号からＥＥＧ記録を生成するために、前記複数の電極に接続されたプロセッサと、
ＥＥＧ記録を表示するために前記プロセッサに接続されたディスプレイと、
を備えており、
前記プロセッサは、ＥＥＧ記録に存在するアーチファクトの量をグラフ形式で表示するように構成されており、
前記ＥＥＧ記録に存在する前記アーチファクトの量は、複数の横線として示され、
前記複数の横線は、筋肉アーチファクトの横線、咀嚼アーチファクトの横線、縦方向の眼球運動アーチファクトの横線、および横方向の眼球運動アーチファクトの横線を含むことを特徴とするシステム。
【請求項４】
前記複数の横線の、横線の色濃度は、所定の期間内に前記ＥＥＧ記録で検出された特定のアーチファクトの量を示すことを特徴とする請求項３に記載のシステム。
【発明の詳細な説明】
【技術分野】
【０００１】
本発明は、概して、ＥＥＧデータを表示するための方法およびシステムに関する。より具体的には、本発明はＥＥＧ記録に存在するアーチファクトの量を表示することに関する。
【背景技術】
【０００２】
脳波図（ｅｌｅｃｔｒｏｅｎｃｅｐｈａｌｏｇｒａｍ，  ＥＥＧ）は、脳（大脳）機能を評価するためにヒトの脳の電気的活動を測定及び記録する診断用ツールである。複数の電極がヒトの頭部に装着され、ワイヤで機械に接続される。この機械は信号を増幅し、脳の電気的活動を記録する。電気的活動は複数の神経単位にわたる神経作用（活動）の総和（ｓｕｍｍａｔｉｏｎ、累積）によって作り出される。これらの神経は小規模な電圧場を生成する。これらの電圧場の集合は、ヒトの頭部の電極によって検出及び記録可能な電気測定値を作り出す。ＥＥＧは複数の単純な信号の重ね合わせである。正常な成人では、ＥＥＧ信号の強度（振幅）は一般的に１μボルトから１００μボルトであり、また、ＥＥＧ信号は硬膜下電極で測定する場合、約１０ｍｖから２０ｍｖである。電気信号の振幅及び時間的な強弱変化（ｔｅｍｐｏｒａｌ  ｄｙｎａｍｉｃｓ, 時間的動力学）のモニタリングは、その人物の潜在的な神経作用及び医学的状態に関する情報を提供する。
【０００３】
ＥＥＧは、てんかんの診断、意識消失又は認知症に関する問題の検証、こん睡状態にあるヒトの脳活動の検証、睡眠障害の研究、手術中の脳活動のモニタリング及びさらなる身体的問題に使用される。
【０００４】
ＥＥＧ記録の間、複数の電極（一般的には１７個から２１個だが、標準位置は少なくとも７０個ある）が人の頭に装着される。電極は、ヒトの脳葉又は脳領域に関連する電極位置で参照される。参照記号はＦ＝前頭部、Ｆｐ＝前頭極、Ｔ＝側頭部、Ｃ＝中心部、Ｐ＝頭頂部、Ｏ＝後頭部、及び、Ａ＝耳介部（耳部電極）である。数字が位置をさらに狭めることに使用され、「Ｚ」点がヒトの頭部の正中線における電極位置（場所、ｓｉｔｅ）に関連している。また、心電図（ＥＫＧ）がＥＥＧ表示に表されてもよい。
【０００５】
ＥＥＧは、モンタージュ（ｍｏｎｔａｇｅｓ）と呼ばれる電極の様々な組み合わせを使用して、異なる増幅器からの脳波を記録する。一般的に、モンタージュは大脳皮質に亘るＥＥＧの空間分布の鮮明な画像を提供するために作成される。モンタージュは、導出電極の空間的アレイ（配列）から得られた電気的マップであり、好ましくは、一定時間内に特定の点で試験される電極の特定の組み合わせを参照する。
【０００６】
双極モンタージュ（ｂｉｐｏｌａｒ  ｍｏｎｔａｇｅｓ）では、連続する電極対が１つのチャネル（経路）の電極入力２を、連続するチャネルの入力１に接続することによりリンク（結合）される。これによって、隣接するチャネルが共通する１つの電極を有することになる。電極の双極連鎖（ｂｉｐｏｌａｒ  ｃｈａｉｎｓ）が、前方から後方（縦方向）又は左方から右方（横方向）に接続されてもよい。双極モンタージュでは、２つの動作中の電極位置の間の信号が比較され、その結果、記録された活動の差異を生じる。別の種類のモンタージュは、基準モンタージュ（ｒｅｆｅｒｅｎｔｉａｌ  ｍｏｎｔａｇｅ）又は単極モンタージュ（ｍｏｎｏｐｏｌａｒ  ｍｏｎｔａｇｅ）である。基準モンタージュでは、様々な電極が各増幅器の入力１に接続され、また、基準電極が各増幅器の入力２に接続される。基準モンタージュでは、動作中の電極の位置で信号が収集され、共通の基準電極と比較される。
【０００７】
基準モンタージュは、真の振幅及び波形の形態を決定するのに適している。側頭電極には、ＣＺが頭皮での基準点として適している。
【０００８】
電気的活動の起点（ｏｒｉｇｉｎ、原点）を配置可能とすること（「局在化（ｌｏｃａｌｉｚａｔｉｏｎ）」）は、ＥＥＧを分析するためには極めて重要である。双極モンタージュの正常又は異常な脳波の局在化は、通常、「位相反転（ｐｈａｓｅ  ｒｅｖｅｒｓａｌ）」、つまり、反対の方向を指す連鎖内の２つのチャネルの偏位（ｄｅｆｌｅｃｔｉｏｎ、偏り）を識別することによって実施される。基準モンタージュでは、すべてのチャネルは同一方向に偏位を示しうる。動作中の電極における電気的活動が、基準電極での活動と比較した際に正極であった場合、偏位が下降する。電気的活動が基準電極と同様である電極は偏位を生じない。一般的に、最大上昇偏位（ｌａｒｇｅｓｔ  ｕｐｗａｒｄ  ｄｅｆｌｅｃｔｉｏｎ）を有する電極は、基準モンタージュにおいて、最大負活動（ｍａｘｉｍｕｍ  ｎｅｇａｔｉｖｅ  ａｃｔｉｖｉｔｙ）を示す。
【０００９】
あるパターンは、ヒトの発作傾向を示す。医師はこれらの波形を「てんかん様の異常」又は「てんかん波形」と呼ぶことがある。ここには、スパイク、鋭波、棘徐波放電（ｓｐｉｋｅ−ａｎｄ−ｗａｖｅ  ｄｉｓｃｈａｒｇｅ）が含まれる。左側頭葉のような脳の特定エリアにおけるスパイク及び鋭波は、部分的な発作がそのエリアから起こる可能性を示している。一方、原発性広汎（全般）性発作は、大脳の両半球に亘って広範囲に広がる棘徐波放電によって、特に大脳の両半球で同時に棘徐波放電が発生する場合に、示唆される。
【００１０】
いくつかの種類の脳波が存在する。アルファ波、ベータ波、デルタ波、シータ波、ガンマ波である。アルファ波は８ヘルツから１２ヘルツ（Ｈｚ）の周波数を有する。アルファ波は通常、ヒトがリラックスしている時、又は、目は閉じられているが緊張している起床時の状態で見受けられる。アルファ波はヒトの目が開いているか、集中している時には停止する。ベータ波は、１３Ｈｚから３０Ｈｚの周波数を有する。通常、ベータ波は人が緊張状態にあるとき、思考しているとき、動揺しているとき、又は特定の医薬品を高用量接種しているときに見受けられる。デルタ波は３Ｈｚ以下の周波数を有する。デルタ波は通常、睡眠中のヒト（ノンレム又は夢を見ない睡眠）、又は若年層の子供にみられる。シータ波は４Ｈｚから７Ｈｚの周波数を有する。シータ波は通常、睡眠中のヒト（夢を見る睡眠又はレム睡眠）、又は若年層の子供にみられる。ガンマ波は３０Ｈｚから１００Ｈｚの周波数を有する。ガンマ波は通常、高い精神作用及び運動機能の最中にみられる。
【００１１】
以下の定義が本明細書で使用される。
【００１２】
「振幅（ａｍｐｌｉｔｕｄｅ、強度）」は、最大ピーク（ネガティブ又はポジティブ）を通じて計測された、垂直方向の距離として言及される。また、構成要素の生成の間の、神経単位（ｎｅｕｒｏｎ）の個体群のサイズとその活性化の同期性とに関する情報を表す。
【００１３】
「アナログ・デジタル変換（ａｎａｌｏｇｕｅ  ｔｏ  ｄｉｆｉｔａｌ  ｃｏｎｖｅｒｓｉｏｎ）」という用語は、アナログ信号が追加的な処理のためにコンピュータに保存可能なデジタル信号に変換されるときに言及される。アナログ信号は「現実世界（ｒｅａｌ  ｗｏｒｌｄ）」信号（例えば、脳波図、心電図、又は眼電図のような生理的信号）である。それらがコンピュータに保存され、コンピュータによって操作されるために、これらの信号はコンピュータが理解可能な個別のデジタル形式に変換されなければならない。
【００１４】
「アーチファクト（ａｒｔｉｆａｃｔｓ）」とは、ＥＥＧによって、頭皮に沿って検出される電気信号であるが、それは大脳ではない発生源に由来する。アーチファクトには、患者に関連するアーチファクト（例えば、動く、発汗する、ＥＣＧ、眼球運動）と、技術的アーチファクト（５０／６０Ｈｚアーチファクト、ケーブルの動き、電極ペースト関連）とがある。
【００１５】
「差動増幅器（ｄｉｆｆｅｒｅｎｔｉａｌ  ａｍｐｌｉｆｉｅｒ）」は電気生理学的機器の要所として言及される。それは、２つの入力間の差異を拡大する（一対の電極につき１つの増幅器）。
【００１６】
「持続期間（ｄｕｒａｔｉｏｎ）」とは、電圧が、変化開始から基線（ベースライン）に戻るまでの時間間隔をとして言及される。それはまた、構成要素の生成に含まれる神経単位の同期的活動の計測でもある。
【００１７】
「電極（ｅｌｅｃｔｒｏｄｅ）」は、回路の非金属部分と電気的接触とをもたらすために使用される導体として言及される。ＥＥＧ電極は、通常、塩化銀コーティングで覆われたステンレス鋼、スズ、金又は銀で作られる小さな金属のディスク（円盤）である。これらの電極は頭皮の特有の位置に配置される。
【００１８】
「電極ジェル（ｅｌｅｃｔｏｒｏｄｅ  ｇｅｌ）」は電極の適応性のある延長としての役割を果たし、それにより、電極リード線の動きによるアーチファクトの生成を減少させる。ジェルは皮膚接触を最大限に拡大し、皮膚を通した低抵抗記録（ｌｏｗ−ｒｅｓｉｓｔａｎｃｅ  ｒｅｃｏｒｄｉｎｇ）を可能とする。
【００１９】
「電極位置決め（ｅｌｅｃｔｒｏｄｅ  ｐｏｓｉｔｉｏｎｉｎｇ）」（１０／２０システム）とは、標準的なＥＥＧ記録を目的とした頭皮電極の標準化された配置として言及される。このシステムの本質は、ナジオン（鼻根点）−イニオン（外後頭隆起点）と定点との間の、１０／２０範囲の割合の間隔である。これらの定点は、全頭極（Ｆｐ）、中央部（Ｃ）、頭骨頭頂部（Ｐ）、後頭部（Ｏ）、及び、側頭部（Ｔ）と呼ばれる。正中部電極は下付き文字ｚで表され、ゼロを意味する。奇数は左脳半球の定点の下付き数字として使用され、偶数は右脳半球に使用される。
【００２０】
「脳波図（ｅｌｅｃｔｒｏｅｎｃｅｐｈａｌｏｇｒａｍ）」又は「ＥＥＧ」とは、脳の電気運動を頭皮から記録することによる、脳波計によって作り出される脳波のトレース（追跡、記録）として言及される。
【００２１】
「脳波計（ｅｌｅｃｔｒｏｅｎｃｅｐｈａｌｏｇｒａｐｈ）」とは、脳波を検出及び記録するための機器として言及される（脳造影（ｅｎｃｅｐｈａｌｏｇｒａｐｈ）ともいう）。
【００２２】
「てんかん様の（ｅｐｉｌｅｐｔｉｆｏｒｍ）」とは、てんかんに類似したものとして言及される。
【００２３】
「フィルタリング（ｆｉｌｔｅｒｉｎｇ）」とは、信号から望ましくない周波数を除去する工程として言及される。
【００２４】
「フィルタ（ｆｉｌｔｅｒ）」とは、信号の周波数の構成を変える装置である。
【００２５】
「モンタージュ（ｍｏｎｔａｇｅ）」とは、電極の配置（ｐｌａｃｅｍｅｎｔ）を意味する。ＥＥＧは、双極モンタージュ又は基準モンタージュのいずれかでモニタリングされることができる。双極は１つのチャネルにつき２つの電極が存在することを意味し、それゆえ、各チャネルには基準電極が備わっている。基準モンタージュは、すべてのチャネルに共通する基準電極が存在することを意味する。
【００２６】
「形態（ｍｏｒｐｈｏｌｏｇｙ）」とは、波形の形状として言及される。波形又はＥＧＧのパターンは、波形を作り出すために結合する周波数によって、及び、それらの相と電圧との関係性によって決定される。波形パターンは以下のように表すことができる。すなわち、「単相型（ｍｏｎｏｍｏｒｐｈｉｃ）」は１つの支配的な活性からなるように見える特徴的なＥＥＧの状態（ａｃｔｉｖｉｔｙ）である。「多形型（ｐｏｌｙｍｏｒｐｈｉｃ）」は複雑な波形を形成するために結合する複数の周波数から成る特徴的なＥＥＧの挙動である。そして、「正弦波（ｓｉｎｕｓｏｉｄａｌ）」は正弦波に類似している。単相型の状態は通常、正弦波曲線である。「過渡電流（ｔｒａｎｓｉｅｎｔ）」はバックグラウンドの状態と明確に異なる単独の波動又はパターンである。
【００２７】
「スパイク（棘波、ｓｐｉｋｅ）」とは、急激なピークの過渡電流として言及され、その持続期間は２０ミリ秒から７０ミリ秒である。
【００２８】
「鋭波（ｓｈａｒｐ  ｗａｖｅ）」とは、急激なピークの過渡電流として言及され、その持続期間は７０ミリ秒から２００ミリ秒である。
【００２９】
「ニューラルネットワーク（神経回路）アルゴリズム（ｎｅｕｒａｌ  ｎｅｔｗｏｒｋ  ａｌｇｏｒｉｔｈｍｓ）」とは、てんかん様の異常を高確率で有する急激な過渡電流を識別するアルゴリズムとして言及される。
【００３０】
「ノイズ（ｎｏｉｓｅ）」とは、所望の信号を変更する、望ましくない信号として言及される。「ノイズ」には複数の原因がある。
【００３１】
「周期性（ｐｅｒｉｏｄｉｃｉｔｙ）」とは、一定時間内のパターン又は要素の配分として言及される（例えば、おおよそ一定の間隔で、特有のＥＥＧが表れる）。活動は、全般的、局所的、又は右脳又は左脳のどちらか（ｌａｔｅｒａｌｉｚｅｄ）であってもよい。
【００３２】
ＥＥＧエポック（ｅｐｏｃｈ）は、時間及び周波数の関数としてのＥＧＧ信号の大きさ（ａｍｐｌｉｔｕｄｅ）である。
【先行技術文献】
【特許文献】
【００３３】
【特許文献１】米国特許第８１１２１４１号公報
【特許文献２】米国特許出願公開第１３／６２０８５５号公報
【特許文献３】米国特許出願公開第１３／６８４４６９号公報
【特許文献４】米国特許出願公開第１３／６８４５５６号公報
【発明の概要】
【発明が解決しようとする課題】
【００３４】
ＥＥＧレポートは、ヒトの脳活動に関する膨大な量の情報を作成する。しかしながら、脳活動を適切に分析するためには、迅速かつ容易な解釈が必要である。
【課題を解決するための手段】
【００３５】
アーチファクト軽減技術の開発中、発明者は、ＥＥＧ記録に存在するアーチファクトの量のグラフ形式での表示（図表による表示）は、ＥＥＧ記録の評価者に非常に役立つことに気が付いた。そこで、発明者は、ＥＥＧ記録に存在するアーチファクトの量を、グラフ形式で可視的に表示する方法およびシステムを発明した。
【００３６】
ＥＥＧ記録に存在するアーチファクトの量をグラフ形式で表示することは、ＥＥＧ記録の評価者に、どれくらいの量の筋肉の動きおよび眼球運動がＥＥＧ記録に存在するか見ることを可能にする。
【００３７】
ＥＥＧ記録に存在するアーチファクトの量をグラフ形式で表示することは、要約形式での患者の状態の複雑ではない表示を提供する。
【００３８】
ＥＥＧ記録に存在するアーチファクトの量をグラフ形式で表示することは、その傾向のなかに、残っている（ｒｅｍａｉｎｉｎｇ  ｉｎ  ｔｈｅ  ｔｒｅｎｄｓ）アーチファクトが存在するか否かを示す。
【００３９】
本発明は、所定の時間に亘って表示される、ＥＥＧ記録に存在する様々なタイプのアーチファクトの量のグラフ形式の表示である。
【００４０】
ＥＥＧ記録に存在する様々なタイプのアーチファクトの量のグラフ表示の好ましい実行は、一連の横線（ｈｏｒｉｚｏｎｔａｌ  ｌｉｎｅ、水平線）として示される。筋肉アーチファクト（筋肉の動きに由来するアーチファクト）、咀嚼アーチファクト（咀嚼に由来するアーチファクト）、縦方向の眼球運動アーチファクト（垂直方向の眼球運動に由来するアーチファクト）、および横方向の眼球運動アーチファクト（水平方向の眼球運動に由来するアーチファクト）に対して、それぞれ１つの横線があてられる。横線の色濃度は、所定の期間内に検出されたアーチファクトの量を示す。
【００４１】
本発明の１つの特徴は、ＥＥＧ記録に存在するアーチファクトの量を表示するための方法である。この方法は、複数の電極、増幅器およびプロセッサを備える機械からＥＥＧ記録を生成するステップを含む。またこの方法は、ＥＥＧ記録を解析してＥＥＧ記録に存在するアーチファクトの量を決定するステップを含む。さらにこの方法は、ＥＥＧ記録に存在するアーチファクトの量をディスプレイ上にグラフ形式で表示するステップを含む。
【００４２】
本発明の別の特徴は、ＥＥＧ記録に存在するアーチファクトの量を表示するためのシステムである。このシステムは、電極、プロセッサ、およびディスプレイを含む。電極は、複数のＥＥＧ信号を生成する。プロセッサは電極に接続されており、また、プロセッサは複数のＥＥＧ信号からＥＥＧ記録を生成するように構成されている。ディスプレイはプロセッサに接続され、ＥＥＧ記録を表示する。プロセッサは、ＥＥＧ記録に存在するアーチファクトの量をグラフ形式で表示するように構成されている。
【００４３】
ＥＥＧ記録に存在するアーチファクトの量は、好ましくは、複数の横線としてグラフで表示される。もっとも好ましくは、複数の横線は、筋肉アーチファクトの横線、咀嚼アーチファクトの横線、縦方向の眼球運動アーチファクトの横線、および横方向の眼球運動アーチファクトの横線を含む。
【図面の簡単な説明】
【００４４】
【図１】図１は、ＥＥＧ記録に存在するアーチファクトの量のグラフ形式の表示である。
【図１Ａ】図１Ａは、ＥＥＧ記録に存在するアーチファクトの量のグラフ形式の表示である。
【図１Ｂ】図１Ｂは、図１の発作可能性チャネル（ｓｅｉｚｕｒｅ  ｐｒｏｂａｂｉｌｉｔｙ  ｃｈａｎｎｅｌ）の矩形領域１Ｂを切り離して拡大した図である。
【図１Ｃ】図１Ｃは、図１のアーチファクトの強度のチャネルの横線を切り離して拡大した図である。
【図２】図２は、ＥＥＧ記録を分析するためのシステムのブロック図である。
【図３】図３は、ＥＥＧのための電極配置のマップ（地図）である。
【図４】図４は、ＥＥＧのための電極配置の詳細なマップ（地図）である。
【図５】図５は、ＣＺ基準モンタージュの図である。
【図６】図６は、発作、筋肉アーチファクト、および眼球運動アーチファクトを含むＥＥＧ記録の図である。
【図７】図７は、図６から筋肉アーチファクトを除いたＥＥＧ記録の図である。
【図８】図８は、図７から眼球運動アーチファクトを除いたＥＥＧ記録の図である。
【発明を実施するための形態】
【００４５】
（本発明を実施するための最良の形態）
図１、１Ａ、１Ｂ、および１Ｃは、ＥＥＧ記録に存在するアーチファクトの量のグラフ表示を図示している。アーチファクトの強度のチャネル１１０は、一連の横線１１１として示される。図示される複数の横線１１１は筋肉アーチファクトの横線１１２、咀嚼アーチファクトの横線１１３、縦方向の眼球運動アーチファクトの横線１１４、および横方向の眼球運動アーチファクトの横線１１５を備えている。当業者は本発明の精神と範囲から逸脱することなく、多かれ少なかれ横線が使用されうることを理解するであろう。
【００４６】
また、図１および１Ａには、発作可能性チャネル１２０、周期性スペクトログラム、左脳半球チャネル１３０、周期性スペクトログラム、右脳半球チャネル１４０、ＦＦＴスペクトログラム左脳半球チャネル１５０、ＦＦＴスペクトログラム右脳半球チャネル１６０、非対称相対スペクトログラムチャネル１７０、非対称絶対インデックスチャネル１８０、ａＥＥＧチャネル１９０、抑制比（ｓｕｐｐｒｅｓｓｉｏｎ  ｒａｔｉｏｎ）、左脳半球および右脳半球チャネル２００が図示されている。
【００４７】
周期性スペクトログラムにより、１つの画像で発作の発生を観察することができる。周期性スペクトログラムは、ＥＥＧ記録にそれぞれの頻度（ｆｒｅｑｕｅｎｃｙ、周波数）で存在する周期性の量を測定する。
【００４８】
発作可能性傾向（ｓｅｉｚｕｒｅ  ｐｒｏｂａｂｉｌｉｔｙ  ｔｒｅｎｄ）とは、所定の時間に亘る計算された発作動作の可能性を表す。発作可能性傾向は検出された発作の継続時間を示し、また、発作検出遮断（ｓｅｉｚｕｒｅ  ｄｅｔｅｃｔｉｏｎ  ｃｕｔｏｆｆ）を下回る可能性があるが、依然として検証の対象である記録領域を示唆する。発作可能性傾向は、他の傾向と並べて表示される場合、ＥＥＧにおける量的変化の総合的な表示を提供する。
【００４９】
図２は、ＥＥＧの自動化されたアーチファクトフィルタリングのユーザインターフェイスのためのシステム２０を図示している。患者１５は、複数の電極３５ａ、３５ｂ、３５ｃで構成され、ＥＥＧ機械構成要素４０に接続される電極３５からのワイヤ３８で患者の頭に装着される電極キャップ３１を装着し、ＥＥＧ機械構成要素４０はプロセッサを備えたコンピュータ４１への信号を増幅する増幅器４２で構成され、電極３５からの信号を分析してＥＥＧ記録５１を生成するのに使用されており、このＥＥＧ記録はディスプレイ５０で閲覧可能である。本発明で使用される電極のさらに詳細な記載は、Ｗｉｌｓｏｎ他の米国特許第８１１２１４１号「ＭＥＴＨＯＤ  ＡＮＤ  ＤＥＶＩＣＥ  ＦＯＲ  ＱＵＩＣＫ  ＰＲＥＳＳＯＮ  ＥＥＧ  ＥＬＥＣＴＲＯＤＥ」にあり、参照によりすべてここに組み込まれる。ＥＥＧは、自動的なアーチファクトのフィルタリングのために最適化される。次いで、ＥＥＧ記録は、ニューラルネットワークアルゴリズムを使用して処理され、表示のために分析された、処理済みのＥＥＧ記録を生成する。
【００５０】
ＥＥＧ記録の分析に関するさらなる記載は、２０１２年９月１５日に出願された、Ｗｉｌｓｏｎ他による米国特許出願公開第１３／６２０８５５号「ＭＥＴＨＯＤ  ＡＮＤ  ＳＹＳＴＥＭ  ＦＯＲ  ＡＮＡＬＹＺＩＮＧ  ＡＮ  ＥＥＧ  ＲＥＣＯＲＤＩＮＧ」にあり、参照によりすべてここに組み込まれる。
【００５１】
患者は、その頭部に、信号をプロセッサに向けて増幅するための増幅器に接続された電極からのワイヤで装着された複数の電極を有し、このプロセッサは電極からの信号を分析し、ＥＥＧ記録を作成することに使用される。脳は患者の頭部の異なる位置で異なる信号を生成する。複数の電極が、図３および４で示されるように、患者の頭部に位置される。ＣＺ部は中央に位置する。例えば、図４のＦｐ１は、図６のチャネルＦＰ１−Ｆ３で表される。電極の数はＥＥＧのためのチャネル数で決定される。より多くの数のチャネルは、患者の脳活動のより詳細な表示を作成する。好ましくは、ＥＥＧ機械構成要素４０のそれぞれの増幅器４２は、患者１５の頭部に装着された２つの電極３５に対応する。ＥＥＧ機械構成要素４０からの出力は、２つの電極によって検出された電気的活動の違い（差）である。それぞれの電極の位置は、ＥＥＧレポートにとって極めて重要である。なぜなら、電極対が互いに接近すればするほど、ＥＥＧ機械構成要素によって記録される脳波の差がより減少するからである。
【００５２】
ＥＥＧは自動化されたアーチファクトフィルタリング用に最適化される。次いで、ＥＥＧ記録は、表示のために分析された処理済みＥＥＧ記録を生成するために、ニューラルネットワークアルゴリズムを使用して処理される。ＥＥＧ記録を取得する間、処理エンジンは、ＥＥＧ波形の分析を継続的に実施し、チャネルごとに、電極アーチファクトのほとんどの種類の存在を決定する。人間による読み取り（ｈｕｍａｎ  ｒｅａｄｅｒ）と極めて似た形で、処理エンジンはＥＥＧの表示パターン（ＥＥＧｔｒａｃｅ）の複数の特徴を分析してアーチファクトを検出する。望ましいアーチファクトの検出は、インピーダンスの検査から独立している。ＥＥＧ記録を取得する間、処理は電極アーチファクトを探して入力チャネルを監視する。アーチファクトが検出されると、アーチファクトは発作検出の工程から自動的に除外され、および、傾向表示ディスプレイ（ｔｒｅｎｄｉｎｇ  ｄｉｓｐｌａｙ）から任意で除外される。このことにより、以前に開発された製品よりも、極めて高度なレベルの発作検出の精度と、傾向の容易な読み取りが可能となる。
【００５３】
ＥＥＧからアーチファクトを除去するためのアルゴリズムは、典型的には、ＣＣＡ（正準相関分析，ｃａｎｏｎｉｃａｌ  ｃｏｒｒｅｌａｔｉｏｎ  ａｎａｌｙｓｉｓｕ）やＩＣＡ（独立成分分析，Ｉｎｄｅｐｅｎｄｅｎｔ  Ｃｏｍｐｏｎｅｎｔ  Ａｎａｌｙｓｉｓ、独立した構成要素分析）のようなブラインド音源分離（Ｂｌｉｎｄ  Ｓｏｕｒｃｅ  Ｓｅｐａｒａｔｉｏｎ、ＢＳＳ）アルゴリズムを使用して、一組のチャネルからの信号を一組の成分波（ｃｏｍｐｏｎｅｎｔ  ｗａｖｅ）又は「ソース（ｓｏｕｒｃｅ、情報源）」に変換する。
【００５４】
１つの例では、ＥＥＧから筋活動の影響を除去するために、ＢＳＳ−ＣＣＡと呼ばれるアルゴリズムが使用される。このアルゴリズムを記録されたモンタージュに使用すると、しばしば、最適な結果が得られない。この場合、一般的には、基準電極が国際１０−２０標準におけるＣＺのような頂点電極の１つであるモンタージュを使用することが最適である。このアルゴリズムでは、記録されたモンタージュは、アーチファクトの除去の前に、最初にＣＺ基準モンタージュへと変換される。ＣＺでの信号がそれは最良の選択ではないことを示したとき、アルゴリズムは、適切な基準電極を見つけるために、可能な基準電極のリストを下まで見ていく。
【００５５】
使用者に選択されたモンタージュ上で、ＢＳＳ−ＣＣＡを直接実行することが可能である。しかし、ここには２つの問題がある。第１に、使用者によって閲覧するために選択されたそれぞれのモンタージュは、費用のかかるアーチファクト除去工程を行うことが要求される。第２に、アーチファクトの除去はモンタージュごとに変化し、使用者が最適な基準を使用して基準のモンタージュを選択した場合に最適となるに過ぎない。ＥＥＧを検証するために必要なモンタージュは、アーチファクトを除去するために最適なモンタージュと同一ではないことが多く、優れた解決策とはならない。
【００５６】
図５から図８は、ＥＥＧ信号からのアーチファクトの除去が、どのようにして、読者のために、脳の真の活動のより明確な図示を可能にするのかを図示している。図６は、発作、筋肉アーチファクト、眼球運動アーチファクトを含むＥＥＧ記録４０００を図示している。図７は、筋肉アーチファクトを除去した、図６のＥＥＧ記録５０００を図示している。図８は眼球運動アーチファクトを除去した、図７のＥＥＧ記録６０００を図示している。
【００５７】
ＥＥＧ記録の分析に関するさらなる記載は、２０１２年１１月２３日に出願されたＷｉｌｓｏｎ他による米国特許出願公開第１３／６８４４６９号「ＵＳＥＲ  ＩＮＴＥＲＦＡＣＥ  ＦＯＲ  ＡＲＴＩＦＡＣＴ  ＲＥＭＯＶＡＬ  ＩＮ  ＡＮ  ＥＥＧ」にあり、参照によりすべてここに組み込まれる。ＥＥＧ記録の分析に関する別の記載は、２０１２年１１月２５日に出願された、Ｗｉｌｓｏｎ他による米国特許出願公開第１３／６８４５５６号「ＭＥＴＨＯＤ  ＡＮＤ  ＳＹＳＴＥＭ  ＦＯＲ  ＤＥＴＥＣＴＩＮＧ  ＡＮＤ  ＲＥＭＯＶＩＮＧ  ＥＥＧ  ＡＲＴＩＦＡＣＴＳ」にあり、参照によりすべてここに組み込まれる。一度ＥＥＧのアーチファクトの量が検出されると、プロセッサ（処理エンジン）は、ＥＥＧ記録に存在するアーチファクトの量を、図１のように表示されるグラフ形式で表示するように構成される。
【図１】
0006267719.tif 000002
【図１Ａ】
0006267719.tif 000003
【図１Ｂ】
0006267719.tif 000004
【図１Ｃ】
0006267719.tif 000005
【図２】
0006267719.tif 000006
【図３】
0006267719.tif 000007
【図４】
0006267719.tif 000008
【図５】
0006267719.tif 000009
【図６】
0006267719.tif 000010
【図７】
0006267719.tif 000011
【図８】
0006267719.tif 000012